(57)【要約】【課題】フレーム中よりトリミングされた領域を用いて連続静止画を生成することを可能とする。【解決手段】動画データの所望の範囲を指定する（Ｓ１４４〜Ｓ１４７）と、指定された範囲の先頭及び末尾のフレームから得られる静止画像を表示し、これら２つのフレームに対してトリミング領域を指定するインターフェースが提供される（ステップＳ１５３、Ｓ１５４）。このインターフェースを用いて指定されたトリミング領域に基づいて、指定された範囲内より抽出されるべき所定数のフレームの各々におけるトリミング領域が設定される。そして、動画データの指定された範囲から所定数のフレームが抽出され、抽出された所定数のフレームの各々から、それぞれに設定されたトリミング領域の部分画像を抽出して所定数の連続静止画を生成する（ステップＳ１４９）。得られた連続静止画は、印刷装置を介して記録紙にプリントされる。【選択図】　図５Ａ
2004120638.tif 000002
【特許請求の範囲】
【請求項１】
動画データの所望の範囲を指定する指定手段と、
前記指定手段で指定された範囲より切り出されるべき所定数のフレームのうちの２つのフレームに対して、トリミング領域を指定する指定手段と、
前記指定手段で指定されたトリミング領域に基づいて前記切り出されるべき所定数のフレームの各々におけるトリミング領域を設定する設定手段と、
前記指定手段で指定された範囲より所定数のフレームを切り出し、切り出されたフレームの各々から、前記設定手段で設定されたトリミング領域を抽出して所定数の連続静止画を生成する生成手段と、
前記生成手段で生成された連続静止画を印刷させる印刷制御手段と
を備えることを特徴とする画像処理装置。
【請求項２】
前記指定手段は、前記切り出されるべき所定数のフレームのうちの開始フレームと終了フレームに対してトリミング領域を指定することを特徴とする請求項１に記載の画像処理装置。
【請求項３】
前記指定手段は、前記２つのフレームに対応する画像を表示し、該画像中にトリミング領域を示す枠を表示することを特徴とする請求項１又は２に記載の画像処理装置。
【請求項４】
前記設定手段は、前記指定手段でトリミング領域が指定された２つのフレームの間に存在する各フレームに対して、指定されたトリミング領域が漸次に変化するようにトリミング領域を決定することを特徴とする請求項１に記載の画像処理装置。
【請求項５】
前記設定手段は、前記指定された２つのフレームの間に存在するフレームに対して、比例的にトリミング領域の位置及び又はサイズを変化させることを特徴とする請求項４に記載の画像処理装置。
【請求項６】
前記設定手段は、前記指定された２つのフレームの間に存在するフレームに対して、非線形的にトリミング領域の位置及び又はサイズを変化させることを特徴とする請求項４に記載の画像処理装置。
【請求項７】
前記生成手段で生成された前記所定数の連続静止画を、前記動画データにおける出現順に切替え表示させる表示制御手段を更に備えることを特徴とする請求項１に記載の画像処理装置。
【請求項８】
前記指定手段における範囲指定操作と前記表示制御手段による表示が同一ウインドウ上で実現されることを特徴とする請求項７に記載の画像処理装置。
【請求項９】
前記指定手段は、前記動画データの全体範囲に対応する図形上で所望の開始位置と終了位置を指定することにより、前記所望の範囲を指定することを特徴とする請求項１に記載の画像処理装置。
【請求項１０】
前記抽出手段は、前記所望の範囲より所定数のフレームを時間的に等間隔となるように抽出することを特徴とする請求項１に記載の画像処理装置。
【請求項１１】
前記表示制御手段は、所定の時間間隔で前記連続静止画を切替えて表示することを特徴とする請求項７に記載の画像処理装置。
【請求項１２】
前記所定の時間間隔をユーザ指示に従って設定する設定手段を更に備えることを特徴とする請求項１１に記載の画像処理装置。
【請求項１３】
前記設定手段は、前記連続静止画像の最初から最後までの表示に要する時間を設定することを特徴とする請求項１１に記載の画像処理装置。
【請求項１４】
前記設定手段は、前記連続静止画像の切替え時間間隔を設定することを特徴とする請求項１１に記載の画像処理装置。
【請求項１５】
ポインティングデバイスによるカーソルの移動に応じて連続静止画を切替えることを特徴とする請求項１１に記載の画像処理装置。
【請求項１６】
前記印刷制御手段の制御の下で前記連続静止画を記録する記録手段をさらに備えることを特徴とする請求項１に記載の画像処理装置。
【請求項１７】
動画データの所望の範囲を指定する指定工程と、
前記指定工程で指定された範囲より切り出されるべき所定数のフレームのうちの２つのフレームに対して、トリミング領域を指定する指定工程と、
前記指定工程で指定されたトリミング領域に基づいて前記切り出されるべき所定数のフレームの各々におけるトリミング領域を設定する設定工程と、
前記指定工程で指定された範囲より所定数のフレームを切り出し、切り出されたフレームの各々から、前記設定工程で設定されたトリミング領域を抽出して所定数の連続静止画を生成する生成工程と、
前記生成工程で生成された連続静止画を印刷させる印刷制御工程と
を備えることを特徴とする画像処理方法。
【請求項１８】
前記指定工程は、前記抽出されるべき所定数のフレームのうちの開始フレームと終了フレームに対してトリミング領域を指定することを特徴とする請求項１７に記載の画像処理方法。
【請求項１９】
前記指定工程は、前記２つのフレームに対応する画像を表示し、該画像中にトリミング領域を示す枠を表示することを特徴とする請求項１７又は１８に記載の画像処理方法。
【請求項２０】
前記設定工程は、前記指定工程でトリミング領域が指定された２つのフレームの間に存在する各フレームに対して、指定されたトリミング領域が漸次に変化するようにトリミング領域を決定することを特徴とする請求項１７に記載の画像処理方法。
【請求項２１】
前記設定工程は、前記指定された２つのフレームの間に存在するフレームに対して、比例的にトリミング領域の位置及び又はサイズを変化させることを特徴とする請求項２０に記載の画像処理方法。
【請求項２２】
前記設定工程は、前記指定された２つのフレームの間に存在するフレームに対して、非線形的にトリミング領域の位置及び又はサイズを変化させることを特徴とする請求項２０に記載の画像処理方法。
【請求項２３】
請求項１７乃至２２のいずれかに記載の画像処理方法をコンピュータによって実行させるための制御プログラムを格納する記憶媒体。
【請求項２４】
請求項１７乃至２２のいずれかに記載の画像処理方法をコンピュータによって実行させるための制御プログラム。
【発明の詳細な説明】
【０００１】
【発明の属する技術分野】
本発明は、動画データより得られる複数の画像をプリント出力させるための画像処理方法及び装置並びに印刷装置に関する。
【０００２】
【従来の技術】
従来、動画ファイルから複数の静止画像を切り出し、それらを短冊状の用紙に印刷することにより、図１５に示すように、ぱらぱらめくることによって疑似的な動画を観察可能な印刷物を提供するシステムが提案されている（以下、このような動画を「捲り動画」と称する。また、捲り動画を提供する静止画像を「連続静止画」という）。このシステムにおいては、動画ファイルから開始画像を指定する手段によって指定された開始画像から、終了画像を指定する手段によって指定された終了画像までのフレームを一定の間隔で切り出すことで連続静止画を得、これを印刷することで、「捲り動画」を楽しむことが可能な印刷物を提供する。
【０００３】
【発明が解決しようとする課題】
しかしながら、従来は動画ファイルのある一定区間内を「捲り動画」として楽しむものであったため、例えば、動きの少ない動画の場合は、当然のことながら「捲り動画」となっても動きが少ないものとなってしまう。
【０００４】
本発明は、上記の課題に鑑みてなされたものであり、フレーム中より抽出すべきトリミングされた領域を用いて連続静止画を生成することを可能とすることを目的とする。
【０００５】
【課題を解決するための手段】
上記の目的を達成するための本発明による画像処理装置は以下の構成を備える。すなわち、
動画データの所望の範囲を指定する指定手段と、
前記指定手段で指定された範囲より切り出されるべき所定数のフレームのうちの２つのフレームに対して、トリミング領域を指定する指定手段と、
前記指定手段で指定されたトリミング領域に基づいて前記切り出されるべき所定数のフレームの各々におけるトリミング領域を設定する設定手段と、
前記指定手段で指定された範囲より所定数のフレームを切り出し、切り出されたフレームの各々から、前記設定手段で設定されたトリミング領域を抽出して所定数の連続静止画を生成する生成手段と、
前記生成手段で生成された連続静止画を印刷させる印刷制御手段と
を備える。
【０００６】
また、上記の目的を達成するための本発明による画像処理方法は、
動画データの所望の範囲を指定する指定工程と、
前記指定工程で指定された範囲より切り出されるべき所定数のフレームのうちの２つのフレームに対して、トリミング領域を指定する指定工程と、
前記指定工程で指定されたトリミング領域に基づいて前記切り出されるべき所定数のフレームの各々におけるトリミング領域を設定する設定工程と、
前記指定工程で指定された範囲より所定数のフレームを切り出し、切り出されたフレームの各々から、前記設定工程で設定されたトリミング領域を抽出して所定数の連続静止画を生成する生成工程と、
前記生成工程で生成された連続静止画を印刷させる印刷制御工程とを備える。
【０００７】
【発明の実施の形態】
以下、添付の図面を参照して、本発明の好適な実施形態を説明する。
【０００８】
［システム構成］
図１は本実施形態による画像形成システムの構成を示すブロック図である。本実施形態における画像形成システムは、印刷データ（制御コマンドを含む）を生成する情報処理装置１００と、その印刷データに基づいて画像を形成するプリンタ１７０とで構成される。
【０００９】
情報処理装置１００は、メモリ１１０、ＣＰＵ１３０、ハードディスク・コントローラ（ＨＤＣ）１２０とこれに接続されるハードディスク（ＨＤ）１２１、フロッピー（登録商標）ディスク・コントローラ（ＦＤＣ）１２５とこれに接続されるフロッピー（登録商標）ディスクドライブ（ＦＤ）１２６、プリンタ・コントローラ（ＰＲＴＣ）１４０、キーボード／ポインティングデバイス・コントローラ（ＫＢ／ＰＤＣ）１５０とこれに接続されるキーボード（ＫＢ）及びポインティングデバイス（ＰＤ）１５１、ＣＲＴコントローラ（ＣＲＴＣ）１６０とこれに接続されるＣＲＴ１６１を備える。
【００１０】
なお、ポインティングデバイスＰＤとして、本実施形態ではマウスを用いるが、トラックボールや、タッチパネル等、種々のデバイスを利用可能である。また、上記構成では、表示器としてＣＲＴ１６１を用いているが、液晶やプラズマディスプレイ等、他のタイプの表示器であってもよいことは言うまでもない。
【００１１】
メモリ１１０は、例えば、本実施形態における画像編集の処理を司るアプリケーション１１１、プリンタ１７０に対応する印刷データを生成するためのソフトウェアであるプリンタドライバ１１２、プリンタ１７０に供給すべき印刷データをスプールするスプーラ領域１１３、その他不図示のＯＳ（オペレーティングシステム）やワーク領域等を有する。
【００１２】
ＣＰＵ１３０は、メモリ１１０内のアプリケーション１１１、プリンタドライバ１１２、ＯＳ等に基づいて動作する。なお、電源投入時は不図示のＲＯＭに格納されたブートプログラムによりブートし、ＨＤ１２１からＯＳのプログラムをメモリ１１０にロードしてＯＳを起動する。以降、ＯＳの管理の下で、アプリケーションプログラムが同様にロードされ、実行されることにより、画像形成システムとして機能する。また、当然のことながら、ＣＰＵ１３０は、ＨＤＣ１２０を介してＨＤ１２１にアクセスすることができる。
【００１３】
ＰＲＴＣ１４０は、スプーラ領域１１３に蓄えられた印刷データを順次プリンタ１７０に送信する処理を行なう。ＫＢ／ＰＤＣ１５０は、ＫＢ／ＰＤ１５１を制御し、キーボードやマウスを用いて入力されるユーザからの指示データを装置内に取り込む。ＣＲＴＣ１６０は、表示装置であるＣＲＴ１６１を制御するコントローラである。これらのブロック１５０、１５１、１６０、１６１により、ユーザインターフェースが構成される。
【００１４】
一方、プリンタ１７０には情報処理装置１００から印刷データを受信するため、及び各種ステータスを情報処理装置１００に通知するためのインターフェース１７１、主として受信したプリンタデータを解釈し、ビットマップイメージデータを発生するプリンタ制御部１７２、プリンタ制御部１７２から出力されてきたビットマップイメージデータを受け、実際に画像を形成するプリンタエンジン１７３で構成される。なお、図示してはいないが操作パネル等も具備している。また、プリンタエンジン１７３は、インクジェット方式、電子写真方式、感熱方式等、何れの方式を用いたものでもよい。
【００１５】
なお、上記の構成において、情報処理装置１００にプリンタ１７０を接続した際には、その最初の段階ではプリンタ１７０に対応するプリンタデータを生成するためのプリンタドライバをインストールする必要がある。言うまでもないが、このインストールは、格別の理由がない限りは、通常は一度行なえば事足りるものである。
【００１６】
図２は、図１に示した画像形成システムの情報処理装置１００を、ソフトウエア構成の観点から説明する図である。
【００１７】
情報処理装置１００には、入力装置としてキーボードやマウス（ＫＢ／ＰＤ）１５１が接続されている。また、出力装置として、プリンタ１７０とモニタとしてのＣＲＴ１６１が接続されている。
【００１８】
キーボードやマウスを用いてなされた入力は、キーボード・マウスドライバ１８２により処理され、ＯＳ１８０に渡される。また、情報処理装置１００は、ワードプロセッサ、表計算、インターネットブラウザなどのアプリケーションソフトウェア１０１を有する。アプリケーションソフトウェア１０１によって発行される出力画像を示す各種描画処理命令群（イメージ描画命令、テキスト描画命令およびグラフィクス描画命令）は、ＯＳ１８０を介してモニタドライバ１８１へ入力される。また、印刷を行う場合には、それら描画命令群はＯＳ１８０を介してプリンタドライバ１１２へ入力される。プリンタドライバ１１２は描画命令群を処理して印刷データを作成してプリンタ１７０に印刷させるソフトウエアであり、モニタドライバ１８１はＣＲＴ１６１に画像を表示させるためのソフトウェアである。
【００１９】
なお、図１、図２に示す情報処理装置１００として、一般に普及しているＩＢＭ　ＡＴ互換機のパーソナルコンピュータを使用し、ＯＳ１８０としてＭｉｃｒｏｓｏｆｔ社の　Ｗｉｎｄｏｗｓ（登録商標）９８を使用することが考えられる。また、そのようなパーソナルコンピュータに、モニタ１０６・プリンタ１０５およびキーボード・マウス１１２を接続し、以下で説明する印刷処理アプリケーションを実行させることで、本実施形態の印刷システムが実現される。
【００２０】
情報処理装置１００では、アプリケーションソフトウェア１１１により、文字などのテキストに分類されるテキストデータ、図形などのグラフィクスに分類されるグラフィクスデータ、写真画像などに分類されるイメージ画像データなどを用いて出力画像データが作成される。そして、この出力画像データに基づく画像を印刷する場合、アプリケーションソフトウェア１１１は、ＯＳ１８０に印刷出力要求を行うとともに、テキストデータ部分はテキスト描画命令、グラフィクスデータ部分はグラフィクス描画命令、イメージ画像データ部分はイメージ描画命令で構成される描画命令群をＯＳ１８０に発行する。
【００２１】
ＯＳ１８０はアプリケーションソフトウェア１１１から上記印刷出力要求を受けると、プリンタ１７０に対応するプリンタドライバ１１２に描画命令群を渡す。プリンタドライバ１１２はＯＳ１８０から渡される印刷出力要求および描画命令群を処理して、プリンタ１７０が印刷処理可能な印刷データを作成し、その印刷データをプリンタ１７０に送る。
【００２２】
なお、プリンタ１７０がラスタプリンタである場合、プリンタドライバ１１２は、描画命令群を、順次、例えばＲＧＢそれぞれ８ビット深さをもつバンドメモリにラスタライズする。そして、全ての描画命令をラスタライズした後、ページメモリの内容をプリンタ１７０が印刷可能なデータ形式、例えばＣＭＹＫデータに変換してプリンタ１７０に送る。なお、このバンドメモリは例えばＲＡＭ（メモリ１１０）に割り当てられる。
【００２３】
［印刷処理アプリケーションについて］
次に、上記アプリケーション１１１として動作可能な、本実施形態による印刷処理アプリケーションについて説明する。本実施形態の印刷処理アプリケーションは、動画データの所望範囲より所定数の連続静止画を抽出し、例えば図１０Ｂに示すように、短冊状シートに切り離しが可能なミシン目が設けられた用紙に、これら連続静止画を印刷する。短冊状シートの長手方向に連続静止画と余白部が並ぶようにして印刷することにより、各短冊状シートには綴じ代が形成される。こうして得られた短冊状シートを束ね、図１５に示されるように扱うことで、捲り動画を観察することが可能となる。以下、本実施形態の印刷処理アプリケーションの動作・機能について詳細に説明する。
【００２４】
本実施形態の印刷処理アプリケーションを起動すると、専用のアプリケーションウインドウが表示される。アプリケーションウインドウとしては、用紙選択画面（図７参照）、動画選択画面（図８参照）、範囲設定画面（図９Ａ，Ｂ参照）及び印刷・保存画面（図１０Ａ参照）が用意されている。なお、本印刷アプリケーションを起動した場合、初期画面として用紙選択ウインドウが表示されるものとするが、これに限定されるものではない。また、各画面には、画面選択のためのタブ（３０１ａ〜３０１ｄ）が設けられており、所望のタブをクリックすることで図７〜図１０Ａの画面のうちの所望の画面に移行させることができる。
【００２５】
本印刷処理アプリケーションによる概略の印刷手順は、以下のようになる。
・用紙選択画面において使用するプリンタや用紙等の設定を行ない、
・動画選択画面において所望の動画ファイルを選択し、
・範囲設定画面において、動画選択画面で選択された動画ファイル中の所望の範囲を設定するとともに、捲り動画のプレビューにより設定した範囲が適切であったか否かを確認し、
・印刷・保存画面において、上記範囲設定画面で設定された所望の範囲から所定数からなる連続静止画を生成し、これを上記設定されたプリンタにて出力させる。
【００２６】
以下、各画面毎に動作の詳細を説明する。
【００２７】
まず、図３、図７を参照して、用紙選択画面を表示して実行される用紙選択処理について説明する。図３は図７に示される用紙選択画面が選択された状態において実行される処理を説明するフローチャートである。
【００２８】
ステップＳ１０１では、ボックス３１０に選択したいプリンタの名称を入力させ、ユーザにプリンタの選択を促す。ここで、ボックス３１０の左側の▽部分をクリックすると、利用可能なプリンタのリストが表示され、ユーザはその中から所望のプリンタを選択することができる。利用可能なプリンタが１台しかない場合は、そのプリンタがボックス３１０に表示される。なお、利用可能なプリンタとは、当該印刷アプリケーションが対応しているプリンタであり、当該情報処理装置にプリンタドライバがインストールされているものである。また、本アプリケーションの起動時においては、前回終了時に選択されていたプリンタを選択されたプリンタとする。
【００２９】
ステップＳ１０２では、ボックス３１１を用いたカートリッジの選択が、ステップＳ１０３ではボックス３１２を用いた用紙の選択が行なわれる。なお、本実施形態では、用紙サイズをＡ４に固定しているが、所望の用紙サイズを選択できるようにしてもよい。
【００３０】
ステップＳ１０４では別の画面へ移行するためのタブ（３０１ｂ〜３０１ｄのいずれか）が選択されたかどうかを判定し、選択されていなければ処理をステップＳ１０１に戻す。また、別の画面へ移行するためのタブが選択された場合は、ステップＳ１０５へ進み、ボックス３１０〜３１２においてその時点で設定されていた内容を設定内容として確定する。なお、この設定内容は、後に別の画面からタブ３０１ａを選択して用紙選択画面を表示させて変更することが可能であることはいうまでもない。
【００３１】
次に、タブ３０１ｂが選択されて、動画選択画面へ移行した場合に実行される動画選択処理について図４及び図８を参照して説明する。図４は、図８に示される動画選択画面が選択された状態で実行される処理を説明するフローチャートである。
【００３２】
まず、ステップＳ１２１では、ユーザのファイルオープン操作により、選択されたファイルを開く処理を行なう。ここでは、「開く」ボタン３２１のクリックに応じてファイル選択用のポップアップウインドウ（不図示）が表示され、これを用いてユーザは所望の動画ファイルを選択する。
【００３３】
次にステップＳ１２２において、ステップＳ１２１で指定されたファイルが、当該印刷処理アプリケーションで作成され、保存されたものであるかどうかを判定する。本アプリケーションでは、図６により後述の「印刷と保存」処理におけるステップＳ１６９によって連続静止画を印刷するための情報を保存することができる。ステップＳ１２２において、そのような情報ファイルが選択されていると判定された場合は、以下に説明する動画再生処理は行なわず、ステップＳ１２６へ処理を移す。なお、ステップＳ１２２の判定は、例えばファイルの拡張子を参照して行なうことができる。
【００３４】
後述するが、情報ファイルには、画像ファイル名・静止画切り出し範囲（動画フレーム範囲、トリミング領域）等が保存されている。そこで、本実施形態では、情報ファイルを開いた場合は即座に印刷を実行できるように、印刷・保存画面に自動的に切り替える構成をとる。すなわち、動画選択画面で情報ファイルを開いた場合は、動画を再生するステップをスキップさせ、印刷・保存画面へジャンプする（このジャンプ処理については、フローチャート上に図示されていない）。なお、このような構成を採用せず、情報ファイルが選択された場合であっても、通常の動画ファイルが選択された場合と同様に動画再生を可能とするようにしてもよい。
【００３５】
ステップＳ１２１で選択されたファイルが本印刷アプリケーションで処理が可能な動画ファイルであった場合は、ステップＳ１２３へ進み、動画再生ウインドウ３２２の中の動画再生領域３２３に当該動画ファイルの先頭のフレームの画像を表示する。
【００３６】
動画再生ウインドウ３２２は、選択された動画ファイルの再生処理の開始を指示する再生ボタン３２４、再生処理の一時停止及びその解除を指示する一時停止ボタン３２５、再生処理を停止する停止ボタン３２６、動画ファイルの先頭に移動する移動ボタン３２７、動画ファイルの最後に移動する移動ボタン３２８、及びシークバー３２９を含むユーザインターフェースを有する。なお、シークバー３２９をドラッグすることにより、動画ファイル中の任意の位置へ表示箇所を移動することができる。また、動画再生中は、その再生位置に応じてシークバーが移動する。時間表示３３０は、現在再生中の位置を、再生開始からの時間で示す。
【００３７】
再生ボタン３２４の操作によって動画の再生が指示された場合は、ステップＳ１２４からステップＳ１２５へ進み、ステップＳ１２１で選択された動画ファイルを再生する。なお、その他の操作ボタンの操作による処理についてはフローチャートによる図示と詳細な説明を省略するが、その内容は当業者には明らかであろう。
【００３８】
動画ファイルが選択された状態で別の画面へ移行するためのタブ３０１ａ、３０１ｃ、３０１ｄの何れかが選択された場合は、当該動画ファイル或いは情報ファイルが指定する動画ファイルを選択された動画ファイルとして確定して本処理を終了し、指定された画面へ移動する（ステップＳ１２６、Ｓ１２７）。これらのタブが選択されない間は、上記ステップＳ１２１〜ステップＳ１２５を繰り返す。なお、この確定内容は、後に別の画面からタブ３０１ｂを選択して動画選択画面を表示させて変更することが可能であることはいうまでもない。
次に、タブ３０１ｃが選択されて範囲設定画面に移行した場合に実行される範囲設定処理について、図５Ａ，Ｂ及び図９を参照して説明する。図５Ａは図９Ａに示される範囲設定画面が選択された状態で実行される処理を説明するフローチャートである。範囲設定画面では、動画ファイル中より、連続静止画の切り出し対象となる所望の範囲（静止画切り出し範囲という）を設定する。
【００３９】
図９Ａに示されるように、範囲設定画面においても、選択された動画像ファイルを再生するための動画再生領域３２３や各種操作ボタン３２４〜３２８、シークバー３２９を含む動画再生ウインドウ３４０が表示される。ただし、範囲設定画面の動画再生ウインドウ３４０には、動画中より所望の静止画切り出し範囲を設定するための開始点ボタン３４１と終了点ボタン３４２、及び設定された静止画切り出し範囲から得られる連続静止画を、捲り動画としてプレビューするためのプレビューボタン３４３が含まれる。
【００４０】
まず、ステップＳ１４１〜Ｓ１４３における動画再生処理は、上述のステップＳ１２３〜Ｓ１２５と同様である。すなわち、動画選択画面にて選択され、選択が確定した動画ファイルの先頭フレームの画像を動画再生領域３２３に表示し（ステップＳ１４１）、再生ボタン３２４をクリックすることにより（ステップＳ１４２）当該動画ファイルの再生を開始する（ステップＳ１４３）。
【００４１】
この動画ファイルの再生中において、開始点ボタン３４１がクリックされた場合は、その時点の再生時刻を静止画切り出し範囲の開始点として登録する（ステップＳ１４４、Ｓ１４５）。また、終了点ボタン３４２がクリックされた場合は、その時点の再生時刻を、静止画切り出し範囲の終了点として登録する（ステップＳ１４６、Ｓ１４７）。開始点と終了点が登録されると、選択された静止画切り出し範囲を示すために、図８に示すようにシークバー３２９の選択範囲に相当する部分の表示色を変更するなどして、選択範囲を識別可能とする表示をする。
【００４２】
なお、上記では、動画ファイルの再生中に所望の時点で開始点と終了点を指定することで動画中の所望の範囲を決定したが、これに限られるものではない。例えばシークバー３２９を所望の再生位置へ移動させて開始点ボタン３４１をクリックすることで静止画切り出し範囲の開始点を、同様に終了点ボタン３４２をクリックすることで静止画切り出し範囲の終了点を指定するようにしてもよい。この場合、動画ファイルは再生ボタン３２４によって再生されている必要はないが、シークバー３２９で指定された位置に対応するフレームの画像が動画再生領域３２３に表示されるようにする。
【００４３】
また、上述した、動画を再生させながら静止画切り出し範囲を指定する方法と、シークバーを用いて静止画切り出し範囲を指定する方法とを組み合わせてもよい。例えば、シークバー３２９を操作して動画データ中の所望の位置へ移動し、開始点ボタン３４１をクリックすることで静止画切り出し範囲の開始点を指定する。その後、再生ボタン３２４をクリックしてその位置から動画を再生させ、所望の位置で終了点ボタン３４２をクリックすることにより、切り出し範囲を設定するように構成することも可能である。
【００４４】
また、本実施形態では、静止画切り出し範囲の開始点と終了点をその再生時刻によって登録するが、これに限られるものではなく、フレーム番号等を用いてもよい。
【００４５】
動画ファイルに対して、開始点と終了点が決定したら、次にステップＳ１５３で、カメラズームイン／ズームアウトやカメラパーンなどの効果をかけることができる。視覚効果を設定する場合は、図９Ａの視覚効果ボタン４００を押下することにより、処理はステップＳ１５３からステップＳ１５４へ進み、図１１、図１２に示されるユーザインターフェースを表示する。視覚効果の設定はこのユーザインターフェースを用いて行なわれる。
【００４６】
本実施形態の視覚効果の設定では、まず図１１と図１２に示すように、ステップＳ１４５で登録された開始点に対応するフレームの画像（開始画像）と、ステップＳ１４７で登録された終了点に対応するフレームの画像（終了画像）に対して、トリミング領域を設定するインターフェースが提供される。ここで設定されたトリミング領域を出力サイズに拡大或いは縮小して印刷することにより、動きの少ない動画に対しても、カメラズームイン／ズームアウトやカメラパーンのような効果を出すことが可能となる。
【００４７】
また、開始画像と終了画像に対して、トリミング領域を設定する際には、どのようにトリミングすればどのような効果となるかがわかるように、図１１や図１２の上部にあるガイドボタン（５０１〜５０７）を設けることにより、操作性の向上も図っている。
【００４８】
図１１はカメラズームイン効果の設定例を示す図である。左から２番目のガイドボタン５０２を押すと、開始画面のトリミング領域は全面、終了画面のトリミング領域は中央に、デフォルト設定される。このとき、終了画面上のトリミング領域が、ズームインしたい被写体にうまく当たっていない場合は、手動で位置や大きさを調整することが可能である。
【００４９】
この設定で、開始画面から終了画面までの間のフレームでは比例したトリミング領域の計算を行ない、静止画の切り出しを行なう。例えば、図１３の（ａ）に示すように、開始画面（１枚目）のトリミング領域が画面全体（Ｈ１×Ｖ１）であり、終了画面（Ｎ枚目）のトリミング領域がＨＮ×ＶＮであった場合は、トリミング領域の縦、横のサイズを、それぞれ（Ｖ１−ＶＮ）／Ｎ、（Ｈ１−ＨＮ）／Ｎずつ変化させる（ここで、Ｎは連続静止画の枚数）。このようにすることで、犬の姿がズームインされているような「捲り動画」を楽しむことが可能となる。
【００５０】
なお、終了画面のトリミング領域の位置を移動した場合は、トリミング領域の中心位置が画面中央からズレることになるので、このズレ量を連続静止画の枚数Ｎで等分して、各静止画におけるトリミング領域の中心位置を決定すればよい。トリミング領域の中心位置の移動に関しては図１３（ｂ）により後述する。
【００５１】
また、左から３番目のガイドボタン５０３は、ズームアウトのデフォルト設定のボタンであり、ボタンを押すと、開始画面のトリミング領域は中央、終了画面のトリミング領域は全面に、デフォルト設定される。この設定で静止画の切り出しを行なうと、犬の姿がズームアウトされているような「捲り動画」を楽しむことが可能となる。
【００５２】
図１２は、カメラパーン効果の設定例を示す図である。左から４番目のガイドボタン５０４を押すと、開始画面のトリミング領域は左側、終了画面のトリミング領域は右側に、デフォルト設定される。このとき、開始画面と終了画面上のトリミング領域が、注目したい被写体にうまく当たっていない場合は、手動で位置や大きさを調整することが可能である。
【００５３】
この設定で、開始画面から終了画面まで、間のフレームでは比例したトリミング位置と大きさの計算を行なう。例えば、図１３の（ｂ）において開始画面のトリミング領域の中心位置を（Ｘ１、Ｙ１）、終了画面のトリミング領域の中心位置を（ＸＮ、ＹＮ）としたとき、ｎ番目の静止画のトリミング領域の中心位置（Ｘｎ，Ｙｎ）は（Ｘ１＋ｎ×（ＸＮ−Ｘ１）／Ｎ、Ｙ１＋ｎ×（ＹＮ−Ｙ１）／Ｎ））となる。サイズの変化が伴う場合は、図１３の（ａ）で上述した方法でサイズを変化させればよい。例えば、開始画面のトリミング領域がＨ１×Ｖ１で終了画面のトリミング領域がＨＮ×ＶＮであった場合、ｎ番目の静止画では、横方向にＨ１＋ｎ×（ＨＮ−Ｈ１）／Ｎ、縦方向にＶ１＋ｎ×（ＶＮ−Ｖ１）／Ｎのサイズのトリミング領域を設定する。このようにトリミング領域を設定して、静止画の切り出しを行なうと、左側の女の子から、右側の犬の顔までカメラパーンしているような「捲り動画」を楽しむことが可能となる。
【００５４】
左から５番目のガイドボタン５０５は、右から左へのカメラパーンのデフォルト設定ボタンであり、ボタン５０５を押すと、開始画面のトリミング領域は右側、終了画面のトリミング領域は左側に、デフォルト設定される。この設定で静止画の切り出しを行なうと、右側から左側へカメラパーンしているような「捲り動画」を楽しむことが可能となる。
【００５５】
左から６番目のガイドボタン５０６は、上から下へのカメラパーンのデフォルト設定ボタンであり、ボタンを押すと、開始画面のトリミング領域は上側、終了画面のトリミング領域は下側に、デフォルト設定される。この設定で静止画の切り出しを行なうと、上から下へカメラパーンしているような「捲り動画」を楽しむことが可能となる。
【００５６】
左から７番目のガイドボタン５０７は、下から上へのカメラパーンのデフォルト設定ボタンであり、ボタンを押すと、開始画面のトリミング領域は下側、終了画面のトリミング領域は上側に、デフォルト設定される。この設定で静止画の切り出しを行なうと、下から上へカメラパーンしているような「捲り動画」を楽しむことが可能となる。
【００５７】
一番左のガイドボタン５０１を押すと、開始画面と終了画面のトリミング領域を全面に戻すことができる。
【００５８】
なお、上記実施形態では、連続静止画の開始画面と終了画面においてトリミング領域を設定し、２つのトリミング領域の位置及び／又はサイズが異なる場合、これを直線的に変化させたが、これに限らない。例えば、捲り動画の開始側でより大きく変化させ、最後の方ではあまり変化しないようにしたり、その逆に設定したりすることを可能としてもよい。すなわち、図１４の（ａ）の直線Ａに示すように、１枚目の静止画像で指定されたトリミング領域のサイズからＮ枚目の静止画像で指定されたトリミング領域のサイズまで、直線的に変化させてもよいし、曲線Ｂや曲線Ｃのようにサイズの変化速度を変えてもよい。例えば曲線Ｂのように設定すれば、捲り動画の最後の方で加速的にズーム動作が行なわれることになる。サイズについても同様に、図１４（ｂ）に示すように、直線Ａ’の如く設定してもよいし、曲線Ｂ’或いは曲線Ｃ’のように設定してもよい。例えば、曲線Ｃ’のように設定すれば、捲り動画の最初の方で高速にトリミング領域の位置が変化し、後ろの方ではゆっくりとトリミング領域の位置が変化することになる。
【００５９】
以上のようなサイズの変化速度や位置の変化速度の変更は、例えば、サイズや変化速度毎に直線Ａ、曲線Ｂ、Ｃの何れかを選択するインターフェースを提供すればよい。或いは、曲線のカーブをユーザが所望に設定可能としてもよい。また、そのようなユーザインターフェースは、当業者には明らかである。
【００６０】
また、上記では、トリミング領域を開始画面と終了画面に設定したが、連続静止画中の任意の位置に設定するようにしてもよい。例えば、４５枚の連続静止画のうち、１０枚目と３０枚目を用いてトリミング領域を設定するということも可能である。この場合、最初のトリミング領域が設定された画面よりも手前の画面（例えば１枚目〜９枚目）は最初のトリミング領域（１０枚目に設定されたトリミング領域）が設定されるようにする。また、最後のトリミング領域が設定された画面よりも後ろの画面（３１枚目〜４５枚目）には、最後のトリミング領域（３０枚目に設定されたトリミング領域）が設定されるようにする。
【００６１】
以上の視覚効果の設定に関して図５Ｂのフローチャートに従ってさらに説明する。まず、ステップＳ２０１で、どういう視覚効果をかけるかどうかが選択される。ガイドボタン５０２が選択された場合は、ズームイン効果となり、処理はステップＳ２０４からステップＳ２０５へ進む。ステップＳ２０５では、図１１に示すように、開始画面のトリミング領域は全面、終了画面のトリミング領域は中央にデフォルト設定される。このとき、終了画面上のトリミング領域が、ズームインしたい被写体にうまく当たっていない場合は、手動で位置や大きさを調整することが可能である。
【００６２】
ガイドボタン５０３が選択された場合は、ズームアウト効果となり、処理はステップＳ２０６からステップＳ２０７へ進む。ステップＳ２０７では、開始画面のトリミング領域は中央、終了画面のトリミング領域は全面に、デフォルト設定される。このとき、開始画面上のトリミング領域が、ズームインしたい被写体にうまく当たっていない場合は、手動で位置や大きさを調整することが可能である。
【００６３】
ガイドボタン５０４が選択された場合は、左から右へのカメラパーン効果となり、処理はステップＳ２０８からステップＳ２０９へ進む。ステップＳ２０９では、開始画面のトリミング領域を左側に、終了画面のトリミング領域を右側にデフォルト設定し、図１２で説明したようにトリミング領域を設定することができる。
【００６４】
ガイドボタン５０５が選択された場合は、右から左へのカメラパーン効果となり、処理はステップＳ２１０からステップＳ２１１へ進む。ステップＳ２１１では、開始画面のトリミング領域を右側、終了画面のトリミング領域を左側にデフォルト設定する。
【００６５】
ガイドボタン５０６が選択された場合は、上から下へのカメラパーン（チルト）効果となり、処理はステップＳ２１２からステップＳ２１３へ進む。ステップＳ２１３では、開始画面のトリミング領域を上側に、終了画面のトリミング領域を下側にデフォルト設定して、図１１或いは図１２に類似のインターフェースが面を提示する。
【００６６】
ガイドボタン５０７が選択された場合は、下から上へのカメラパーン効果となり、処理はステップＳ２１４からステップＳ２１５へ進む。ステップＳ２１５では、開始画面のトリミング領域を下側に、終了画面のトリミング領域を上側にデフォルト設定して、図１１或いは図１２に類似のインターフェースが面を提示する。
【００６７】
なお、ガイドボタン５０１が選択された場合は、処理はステップＳ２０２からステップＳ２０３へ進み、開始画像と終了画像のトリミング領域は全面となり、初期状態に戻される。
以上のようにしてトリミング領域が設定されると、図１３で説明したようにＮ枚のフレームの各々におけるトリミング領域が決定される（ステップＳ２１６）。
【００６８】
本実施形態の印刷処理アプリケーションは、以上のようにして設定された静止画切り出し範囲より、等間隔に、所定枚数（本実施形態では４５枚とする）の連続静止画を切り出し、これらをプリント出力するものである。こうして得られた連続静止画のプリント出力は、上述したように短冊状に分離されて、連続的に捲ることにより捲り動画として観察されることを目的としている。従って、この目的のために、疑似的に捲り動画を観察できるように連続静止画をプレビューできることが望ましい。以下のステップＳ１４８〜Ｓ１５０ではそのようなプレビュー機能が提供される。
【００６９】
上記のようにして開始点と終了点により静止画切り出し範囲が設定された後、プレビューボタン３４３がクリックされると、処理はステップＳ１４８からステップＳ１４９へ進む（なお、ステップＳ１４９へは、静止画切り出し範囲が設定されない限り分岐されないようにする）。ステップＳ１４９では、設定された静止画切り出し範囲から所定数の連続静止画が生成、取得される。このとき、隣り合う連続静止画の間隔は、時間軸上で全て等間隔（同一フレーム数）となるように連続静止画が生成される。すなわち、設定された静止画切り出し範囲から等間隔でフレームが抽出され、抽出されたフレームから連続静止画が生成される。
【００７０】
なお、ステップＳ１４９におけるフレームの抽出は、以下の式を用いることでほぼ等間隔に行なうことができる。すなわち、
ｍ＝１＋ＩＮＴ（（ｎ−１）×（Ｍ−１）／（Ｎ−１）＋０．５）
ただし、ＩＮＴ（ｘ）はｘの小数点以下を切り捨てた値を得る関数とし、
Ｍ：選択範囲のフレーム数
Ｎ：抽出フレーム数（Ｎ＞１、本実施形態では４５に固定）
ｎ：フレーム順序番号（１〜Ｎ）
ｍ：抽出フレーム番号（１〜Ｍ）
（上記、Ｍ，Ｎ，ｎ，ｍはすべて整数）
とする。なお、上記式ではＭ＝（Ｎ−１）×ｙ＋１　の場合（ｙは１以上の整数）に、各フレームの間隔が全て等しくなる。
ここで、ステップＳ２１６で決定されたトリミング領域が、上記により抽出された各フレームから取得される。取得されたトリミング領域は、必要に応じて、所定のフレームサイズにサイズが変更される。
【００７１】
そして、ステップＳ１５０において、ステップＳ１４９で生成された連続静止画を、例えば２秒間で４５枚を表示し終えるように撮像順で順次表示する。このとき、ある静止画から次の静止画への切替えの間隔は、一定（例えば４５枚の連続静止画を２秒間で表示しようとすれば２／４５秒）となるようにする。
【００７２】
なお、動画像中の選択範囲が変更されずに、再度プレビューボタン３４３がクリックされた場合は、既に連続静止画の生成が終わっているので、ステップＳ１４９の処理は省略される。
【００７３】
この状態で、別の操作画面に対応するタブ３０１ａ，３０１ｂ，３０１ｄがクリックされた場合は、ステップＳ１５１からステップＳ１５２へ進み、上記で設定された静止画切り出し範囲を確定する。なお、この確定内容は、後に別の画面からタブ３０１ｃを選択して範囲設定画面を表示させて変更することが可能であることはいうまでもない。一方、別の操作画面に対応するタブがクリックされない限りは、上記処理を繰り返すために、処理をステップＳ１４１に戻す。したがって、本実施形態によれば、同一の画面（範囲設定画面）上で、プレビューの表示と範囲設定の操作が行なえるので、プレビューで捲り動画の状況を確認した後、即座に範囲指定のやり直し等が行なえて、操作性がよい。
こうして、パン、チルト、ズームなどの視覚効果を確認できる。
【００７４】
なお、上記のステップＳ１５０における連続静止画のプレビュー表示において、図９Ｂに示すようなプレビュー設定パネル３４４を設け、表示に要する時間を任意に設定できるようにしてもよい。例えば、図９Ｂの３４５に示すように、全体の表示時間を任意に設定可能とし、１秒間で表示すように設定がなされると、１／４５秒間隔で連続静止画を切り替えて表示することになる。また、図９Ｂの３４６に示すように、連続静止画の切替え間隔を指定（例えば、０．０４秒という様に指定）するようにしてもよい。
【００７５】
更に、図９Ｂの３４７に示すようにマニュアル操作を可能としてもよい。本例では、スライドバー３４８を表示し、そのつまみ３４９をマウスでスライドさせると、これに追従して連続静止画を切替えながら表示していく。このようにすれば、上記３４５、３４６では、連続表示中では一定でかつ固定であった切替え間隔を、可変とすることができ、ユーザの捲り動作により正確に対応したプレビューを表示できる。
【００７６】
次に、タブ３０１ｄが選択されて印刷・保存画面に移行した場合の処理について説明する。図６は図１０Ａに示される印刷・保存画面が選択された状態において実行される処理を説明するフローチャートである。この印刷・保存画面では、範囲設定画面で設定された静止画切り出し範囲より得られる連続静止画の印刷と、切り出し情報の保存が行なえる。
【００７７】
まずステップＳ１６１で、現在設定されている切り出し対象範囲について、上記ステップＳ１４９による静止画変換処理が行われているかどうかを判定する。ステップＳ１４９による処理が完了していれば、当該静止画切り出し範囲については連続静止画が得られているので、ステップＳ１６２をスキップする。設定されている切り出し対象範囲から連続静止画が取得されていない場合は、ステップＳ１６２に進み、先の範囲設定画面において設定された静止画切り出し範囲より所定枚数の連続静止画を切り出す。この処理は、図５のステップＳ１４９と同じである。
【００７８】
続いて、ステップＳ１６３において、生成された連続静止画による印刷レイアウト３５１の表示を行なう。本実施形態では、Ａ４サイズの用紙に、連続静止画を１５個ずつ印刷するので、合計３ページにわたる印刷が行われることになる。従って、次ページボタン３５６或は前ページボタン３５５を設け、これらを操作することにより、全ての頁の印刷レイアウトを確認可能とする。なお、図において、連続静止画の部分に記載された数字は、これらが連続静止画であること（同一画像の連続ではないこと）を示すために便宜上付したものである。
【００７９】
また、印刷設定ボタン３５３がクリックされると、印刷設定の変更が行われるものと判定されて処理はステップＳ１６５へ進む。ステップＳ１６５では、印刷設定入力画面（不図示）が表示され、例えば以下のような印刷設定項目の設定が行なわれる。
【００８０】
＜レイアウト＞
・右綴じ：左利き用のレイアウトにて印刷を行なう。
・左綴じ：右利き用のレイアウトにて印刷を行なう。
（デフォルトは「左綴じ」）
＜背景＞
・なし：連続静止画の周囲に何も印刷しない。
・黒のグラデーション：連続静止画の周囲に、連続静止画から余白部に向かって変化する黒のグラデーションを印刷。
・指定色のグラデーション：連続静止画の周囲に、連続静止画から余白部に向かって変化する指定された色のグラデーションを印刷。
（デフォルトは「黒のグラデーション」）
＜タイトル＞
・なし：タイトル名を印字しない。
・タイトルを印字：入力した文字列をタイトルとして印字（１ページ目だけに印字するか、全ページに印字するかを設定可能）。
（デフォルトは「なし」）
＜撮影日付＞
・なし：撮影日時を印字しない。
・日付を印字：撮影した日付を印字する（１ページ目だけに印字するか、全ページに印字するかを設定可能）
（デフォルトは「なし」）。
【００８１】
印刷設定の後、処理はステップＳ１６３にもどり、印刷レイアウトを更新された印刷設定で表示する。こうして印刷設定の変更が直ちに印刷レイアウト表示に反映される。
【００８２】
印刷ボタン３５２がクリックされた場合、処理はステップＳ１６６からステップＳ１６７へ進み、連続静止画を指定されたプリンタから、図１０Ｂのように印刷させる。このときの印刷画像は、動画から切り出し、トリミング領域を抽出して得られた連続静止画を、その縦横比を固定として、４２ｍｍ×３４ｍｍの領域に納まるように縮小したサイズで連続静止画の印刷を行なう。また、その際の印刷品位は、指定されたメディアのデフォルト品位にて印刷を行なう。また、背景について指定がある場合は指定された背景を印刷し、撮影日付やタイトルの印字指定あれば、それぞれの指定に従ってそれらを印字する。更に、連続静止画の順番を明示するために、連続静止画の側方の余白部（本実施形態では右綴じの場合には右上隅となる位置に、左綴じの場合は左上隅となる位置）に番号を印字する（図１０Ｂは右綴じの例であり、左上隅にページ番号がふられている）。
【００８３】
また、保存ボタン３５４がクリックされた場合、処理はステップＳ１６８からステップＳ１６９へ進む。ステップＳ１６９では、用紙選択画面、動画選択画面、範囲設定画面、そして印刷・保存画面（印刷設定）によって設定された各項目を一つのファイルとして保存する。例えば、保存項目としては、使用プリンタ、カートリッジの情報、用紙、動画ファイル名、静止画切り出し開始位置、静止画切り出し終了位置、トリミング領域指定、印刷設定内容（レイアウト・背景など）である。ただし、切り出した連続静止画データの保存は行わない。
【００８４】
以上のようにして得られた４５枚の連続静止画像は、ミシン目を有する用紙に、図１０Ａのように印刷されるので、これらをミシン目に沿って短冊状シートに切り離して束ね、これを図１５のようにして連続的に捲ることにより、捲り動画を観察できる。
【００８５】
以上のように、本実施形態の印刷処理アプリケーションによれば、動画データの所望の範囲について、捲り動画としての観察が可能な連続静止画をプリント出力することが可能となる。ユーザが欲する捲り動画を容易に提供することができる。
【００８６】
特に、連続静止画中にトリミング領域を設定可能としたことにより、ユーザの好みに応じて、パン効果やチルト効果、ズームイン、ズームアウト効果をもった捲り動画を提供できる。このため、動きの少ない動画に対しても、カメラズームイン／ズームアウトやカメラパーンの効果を与え、捲り動画を楽しむことが可能となる効果がある。
【００８７】
また、図９Ａで説明した範囲設定画面のプレビューボタン３４３によるプレビュー機能では、指定された範囲から切り出された連続静止画を連続的に切替えて表示するので、ユーザが連続静止画像を束ねて連続的に捲ることにより捲り動画を観察したときの状態を確認できて、便利である。そして、プレビューを見て気に入らなかった場合は、ウインドウを切り替えることなく、即座に静止画切り出し範囲の指定をやり直せるので、操作性が向上する。
【００８８】
また、プレビューにおいて、静止画像の切替え間隔を設定可能とすれば、好みの捲り速さに応じたプレビューを行なえる。更に、プレビューにおいて、スクロールバー３４８のつまみ３４８の移動に同期させて連続静止画の切替えを制御する構成を設ければ、表示切替えの間隔を連続表示中に変更することができる。このため、捲り画像を観察するときのユーザのくせ（例えば捲りはじめと捲りおわりのスピードが他の部分よりも遅い等）に対応したプレビューを実現することができ、より正確な捲り動画のプレビューを行なえる。
【００８９】
［他の実施形態］
なお、本発明は、複数の機器（例えばホストコンピュータ，インタフェイス機器，リーダ，プリンタなど）から構成されるシステムに適用しても、一つの機器からなる装置（例えば、複写機，ファクシミリ装置など）に適用してもよい。
【００９０】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００９１】
この場合、記憶媒体から読出されたプログラムコード自体が前述した実施形態の機能を実現することになり、そのプログラムコードを記憶した記憶媒体は本発明を構成することになる。
【００９２】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００９３】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００９４】
【発明の効果】
以上説明したように、本発明によれば、フレーム中より抽出すべきトリミングされた領域を用いて連続静止画を生成することが可能となる。
【図面の簡単な説明】
【図１】本実施形態による画像形成システムの構成を示すブロック図である。
【図２】図１に示した画像形成システムの情報処理装置１００を、ソフトウエア構成の観点から説明する図である。
【図３】用紙選択画面が選択された状態において実行される処理を説明するフローチャートである。
【図４】動画選択画面が選択された状態において実行される処理を説明するフローチャートである。
【図５Ａ】範囲設定画面が選択された状態において実行される処理を説明するフローチャートである。
【図５Ｂ】視覚効果の設定処理を説明するフローチャートである。
【図６】印刷・保存画面が選択された状態において実行される処理を説明するフローチャートである。
【図７】用紙選択画面の表示例を示す図である。
【図８】動画選択画面の表示例を示す図である。
【図９Ａ】範囲設定画面の表示例を示す図である。
【図９Ｂ】範囲設定画面の表示例を示す図である。
【図１０Ａ】印刷・保存画面の表示例を示す図である。
【図１０Ｂ】印刷出力例を示す図である。
【図１１】ズームインを設定する場合のトリミング領域設定を示す図である。
【図１２】カメラパーンを設定する場合のトリミング領域設定を示す図である。
【図１３】トリミング領域の移動、サイズ変更を説明する図である。
【図１４】トリミング領域のサイズ変更の形態、位置変更の形態の設定を説明する図である。
【図１５】捲り動画の観察の様子を説明する図である。
【図１】
2004120638.tif 000003
【図２】
2004120638.tif 000004
【図３】
2004120638.tif 000005
【図４】
2004120638.tif 000006
【図５Ａ】
2004120638.tif 000007
【図５Ｂ】
2004120638.tif 000008
【図６】
2004120638.tif 000009
【図７】
2004120638.tif 000010
【図８】
2004120638.tif 000011
【図９Ａ】
2004120638.tif 000012
【図９Ｂ】
2004120638.tif 000013
【図１０Ａ】
2004120638.tif 000014
【図１０Ｂ】
2004120638.tif 000015
【図１１】
2004120638.tif 000016
【図１２】
2004120638.tif 000017
【図１３】
2004120638.tif 000018
【図１４】
2004120638.tif 000019
【図１５】
2004120638.tif 000020